(57)【要約】      （修正有）【課題】残像を減らすことができるプラズマディスプレイ装置及び駆動方法を提供する。【解決手段】電極駆動部は、ロゴ、数字、文字などのシンボル画像にあたる第１データパルスと第２データパルスをそれぞれ第１電極及び第２電極に供給する。プラズマディスプレイパネルは、第１電極及び第２電極を含み、基準時間の間にシンボルを第１領域に表示して、基準時間後にシンボルを第１領域と異なる第２領域に表示する。【選択図】図１
2007279735.tif 000002
【特許請求の範囲】
【請求項１】
画像にあたる第１データパルスと第２データパルスをそれぞれ第１電極及び第２電極に供給する電極駆動部と、
前記第１電極及び前記第２電極を含み、基準時間の間に前記画像を第１領域に表示して、前記基準時間後に前記画像を前記第１領域と異なる第２領域に表示するプラズマディスプレイパネルと、
を含むプラズマディスプレイ装置。
【請求項２】
前記基準時間は０秒より大きく３００秒以下であることを特徴とする、請求項１記載のプラズマディスプレイ装置。
【請求項３】
前記画像は数字、文字、ロゴまたは記号の内の少なくとも一つを含むことを特徴とする、請求項１記載のプラズマディスプレイ装置。
【請求項４】
前記第１領域と前記第２領域は互いに分離していることを特徴とする、請求項１記載のプラズマディスプレイ装置。
【請求項５】
前記第１領域に表示される前記画像の属性は、前記第２領域に表示される前記画像の属性と異なることを特徴とする、請求項１記載のプラズマディスプレイ装置。
【請求項６】
前記属性は前記画像の色、ビットマップまたは背景色の内の少なくとも一つを含むことを特徴とする、請求項５記載のプラズマディスプレイ装置。
【請求項７】
映像情報信号及びシンボル情報信号を分離する信号分離部と、
前記信号分離部から入力された前記シンボル情報信号から抽出された第１シンボル位置信号を出力する信号検出部と、
基準時間の間に前記第１シンボル位置信号を出力して、前記基準時間以後に第２シンボル位置信号を出力する位置判別部と、
前記信号分離部から出力された映像情報信号と、前記位置判別部から出力された前記第１シンボル位置信号または前記第２シンボル位置信号の入力を受け付けて、第１映像信号または第２映像信号を出力する映像信号処理部と、
前記第１映像信号にあたる第１データパルスを第１電極に供給して、前記第２映像信号にあたる第２データパルスを第２電極に供給する電極駆動部と、
前記第１電極及び前記第２電極を含み、前記基準時間の間にシンボルを第１領域に表示して、前記基準時間以後に前記シンボルを前記第１領域と異なる第２領域に表示するプラズマディスプレイパネルと、
を含むプラズマディスプレイ装置。
【請求項８】
前記シンボルはロゴ、文字、数字または記号の内の少なくとも一つを含むことを特徴とする、請求項７記載のプラズマディスプレイ装置。
【請求項９】
前記第１領域と前記第２領域は互いに分離していることを特徴とする、請求項７記載のプラズマディスプレイ装置。
【請求項１０】
前記第１領域の前記シンボルの属性は前記第２領域の前記シンボルの属性と異なることを特徴とする、請求項７記載のプラズマディスプレイ装置。
【請求項１１】
前記属性は前記シンボルの色、ビットマップまたは背景色の内の少なくとも一つを含むことを特徴とする、請求項１０記載のプラズマディスプレイ装置。
【請求項１２】
前記第１シンボル位置信号にあたるシンボル位置データを保存するメモリーをさらに含み、
前記位置判別部は、前記第１シンボル位置信号と前記シンボル位置データを比べて、前記基準時間の間にシンボルがディスプレイにされたかどうかを判断することを特徴とする、請求項７記載のプラズマディスプレイ装置。
【請求項１３】
前記基準時間は０秒より大きく３００秒以下であることを特徴とする、請求項７記載のプラズマディスプレイ装置。
【請求項１４】
第１電極及び第２電極を含むプラズマディスプレイ装置の駆動方法において、
受信された放送信号から映像情報信号及びシンボル情報信号を分離する段階と、
前記シンボル情報信号から抽出された第１シンボル位置信号を出力する段階と、
基準時間の間に前記第１シンボル位置信号を出力して、前記基準時間以後に第２シンボル位置信号を出力する段階と、
前記映像情報信号と、前記第１シンボル位置信号または前記第２シンボル位置信号の入力を受け付けて、第１映像信号または第２映像信号を出力する段階と、
前記第１映像信号にあたる第１データパルスを前記第１電極に供給して、前記基準時間の間にシンボルを第１領域に表示する段階と、
前記第２映像信号にあたる第２データパルスを前記第２電極に供給して、前記基準時間以後に前記シンボルを前記第１領域と異なる第２領域に表示する段階と、
を含むプラズマディスプレイ装置の駆動方法。
【請求項１５】
前記シンボルはロゴ、文字、数字または記号の内の少なくとも一つを含むことを特徴とする、請求項１４記載のプラズマディスプレイ装置の駆動方法。
【請求項１６】
前記第１領域と前記第２領域は互いに分離していることを特徴とする、請求項１４記載のプラズマディスプレイ装置の駆動方法。
【請求項１７】
前記第１領域の前記シンボルの属性は前記第２領域の前記シンボルの属性と異なることを特徴とする、請求項１４記載のプラズマディスプレイ装置の駆動方法。
【請求項１８】
前記属性は前記シンボルの色、ビットマップまたは背景色の内の少なくとも一つを含むことを特徴とする、請求項１７記載のプラズマディスプレイ装置の駆動方法。
【請求項１９】
前記基準時間は０秒より大きく３００秒以下であることを特徴とする、請求項１４記載のプラズマディスプレイ装置の駆動方法。
【発明の詳細な説明】
【技術分野】
【０００１】
本発明はプラズマディスプレイ装置及びプラズマディスプレイ装置の駆動方法に関する。
【背景技術】
【０００２】
プラズマディスプレイ装置はプラズマディスプレイパネルと駆動部を含む。プラズマディスプレイパネルは隔壁によって区画された放電セルを含む。駆動部がプラズマディスプレイパネルの電極に駆動信号を供給すれば、駆動信号によって放電が放電セルで発生して、放電が放電セル内部の蛍光体を励起させ、蛍光体が光を放出する。
【０００３】
プラズマディスプレイ装置はサブフィールドの組み合せによって階調を表現する。すなわち、プラズマディスプレイ装置は各サブフィールド間の光を外部に放出してサブフィールドそれぞれから外部に放出された光量によって階調が表現される。
【０００４】
各サブフィールドはリセット期間、アドレス期間及びサステイン期間を含む。リセット期間の間、プラズマディスプレイパネルの全体放電セルの壁電荷が均一に形成される。アドレス期間の間、光を放出する放電セルが選択される。サステイン期間の内選択された放電セルから光が放出される。
【０００５】
プラズマディスプレイ装置は、同一映像を連続してディスプレイする際に残像が発生する問題点がある。特に、プラズマディスプレイ装置が文字やロゴを長時間ディスプレイする場合が多くなるので、残像は全体画質に悪影響を及ぼす。
【発明の開示】
【発明が解決しようとする課題】
【０００６】
本発明の目的は、残像を減らすことができるプラズマディスプレイ装置及び駆動方法を提供することにある。
【課題を解決するための手段】
【０００７】
本発明のプラズマディスプレイ装置は、画像にあたる第１データパルスと第２データパルスをそれぞれ第１電極及び第２電極に供給する電極駆動部、及び前記第１電極及び前記第２電極を含み、基準時間の間に前記画像を第１領域に表示して、前記基準時間後に前記画像を前記第１領域と異なる第２領域に表示するプラズマディスプレイパネルを含む。
【０００８】
前記基準時間は０秒より大きく３００秒以下であることが好ましい。
【０００９】
前記画像は数字、文字、ロゴまたは記号の内の少なくとも一つを含むことが好ましい。
【００１０】
前記第１領域と前記第２領域はお互いに分離することが好ましい。
【００１１】
前記第１領域に表示される前記画像の属性は、前記第２領域に表示される前記画像の属性と異なることが好ましい。
【００１２】
前記属性は前記画像の色、ビットマップまたは背景色の内の少なくとも一つを含むことが好ましい。
【００１３】
本発明のプラズマディスプレイ装置は、映像情報信号及びシンボル情報信号を分離する信号分離部、前記信号分離部から入力された前記シンボル情報信号から抽出された第１シンボル位置信号を出力する信号検出部、基準時間の間前記第１シンボル位置信号を出力して、前記基準時間以後に第２シンボル位置信号を出力する位置判別部、前記信号分離部から出力された映像情報信号と、前記位置判別部から出力された前記第１シンボル位置信号または前記第２シンボル位置信号の入力を受け付けて、第１映像信号または第２映像信号を出力する映像信号処理部、前記第１映像信号にあたる第１データパルスを第１電極に供給して、前記第２映像信号にあたる第２データパルスを第２電極に供給する電極駆動部、及び前記第１電極及び前記第２電極を含み、前記基準時間の間にシンボルを第１領域に表示して、前記基準時間以後に前記シンボルを前記第１領域と異なる第２領域に表示するプラズマディスプレイパネルを含む。
【００１４】
前記シンボルはロゴ、文字、数字または記号の内の少なくとも一つを含むことが好ましい。
【００１５】
前記第１領域と前記第２領域は互いに分離していることが好ましい。
【００１６】
前記第１領域の前記シンボルの属性は前記第２領域の前記シンボルの属性と異なることが好ましい。
【００１７】
前記属性は前記シンボルの色、ビットマップまたは背景色の内で少なくとも一つを含むことが好ましい。
【００１８】
前記第１シンボル位置信号にあたるシンボル位置データを貯蔵するメモリーをさらに含み、前記位置判別部は、前記第１シンボル位置信号と前記シンボル位置データを比べて、前記基準時間の間にシンボルがディスプレイされたかどうかを判断することが好ましい。
【００１９】
前記基準時間は０秒より大きく３００秒以下であることが好ましい。
【００２０】
本発明のプラズマディスプレイ装置の駆動方法は、受信された放送信号から映像情報信号及びシンボル情報信号を分離する段階、前記シンボル情報信号から抽出された第１シンボル位置信号を出力する段階、基準時間の間に前記第１シンボル位置信号を出力して、前記基準時間以後に第２シンボル位置信号を出力する段階、前記映像情報信号と、前記第１シンボル位置信号または前記第２シンボル位置信号の入力を受け付けて、第１映像信号または第２映像信号を出力する段階、前記第１映像信号にあたる第１データパルスを前記第１電極に供給して、前記基準時間の間にシンボルを第１領域に表示する段階及び前記第２映像信号にあたる第２データパルスを前記第２電極に供給して、前記基準時間以後に前記シンボルを前記第１領域と異なる第２領域に表示する段階を含む。
【００２１】
前記シンボルはロゴ、文字、数字または記号の内で少なくとも一つを含むことが好ましい。
【００２２】
前記第１領域と前記第２領域は互いに分離していることが好ましい。
【００２３】
前記第１領域の前記シンボルの属性は前記第２領域の前記シンボルの属性と異なることが好ましい。
【００２４】
前記属性は前記シンボルの色、ビットマップまたは背景色の内の少なくとも一つを含むことが好ましい。
【００２５】
前記基準時間は０秒より大きく３００秒以下であることが好ましい。
【発明の効果】
【００２６】
本発明によれば、プラズマディスプレイパネルでデジタルテレビの文字放送などを視聴する場合、ディスプレイ画面に文字やグラフなどが長期間ディスプレイされることで発生する残像現象を効果的に取り除くことができる。
【発明を実施するための最良の形態】
【００２７】
以下では本発明による具体的な実施形態を図面を参照して説明する。
【００２８】
図１は本発明の実施形態によるプラズマディスプレイ装置を示す。図１に示されたように、本発明の実施形態によるプラズマディスプレイ装置は、信号分離部１１０、信号検出部１２０、位置判別部１３０、映像信号処理部１４０、電極駆動部１５０及びプラズマディスプレイパネル１６０を含む。
【００２９】
信号分離部１１０は映像情報信号及びシンボル情報信号を分離する。
【００３０】
信号検出部１２０はシンボル情報信号から抽出された第１シンボル位置信号を出力する。
【００３１】
位置判別部１３０は基準時間の間に入力された第１シンボル位置信号を出力して、基準時間以後に第２シンボル位置信号を出力する。
【００３２】
映像信号処理部１４０は信号分離部１１０から出力された映像情報信号と、位置判別部１３０から出力された第１シンボル位置信号または第２シンボル位置信号の入力を受け付けて第１映像信号または第２映像信号を出力する。
【００３３】
電極駆動部１５０は、リセット期間に全体放電セルの壁電荷状態を均一にさせるためのリセットパルスをスキャン電極（Ｙ１乃至Ｙｍ）に供給する。
【００３４】
電極駆動部１５０は、画像にあたる第１データパルスを第１電極に供給して前記画像にあたる第２データパルスを第２電極に供給する。すなわち、電極駆動部１５０は、第１映像信号にあたる第１データパルスを第１電極に供給して、第２映像信号にあたる第２データパルスを第２電極に供給する。また電極駆動部１５０は第１データパルス及び第２データパルスに対応するスキャンパルスをスキャン電極（Ｙ１乃至Ｙｍ）に供給する。第１データパルス、第２データパルス及びスキャンパルスの供給によって、光を放出する放電セルが選択される。電極駆動部１５０は、スキャン電極（Ｙ１乃至Ｙｍ）及びサステイン電極（Ｚ１乃至Ｚｍ）に交互にサステインパルスを供給することで選択された放電セルから光が放出されるようにする。
【００３５】
プラズマディスプレイパネル１６０は、スキャン電極（Ｙ１乃至Ｙｍ）及びサステイン電極（Ｚ１乃至Ｚｍ）と交差する第１電極及び第２電極を含む。第１電極及び第２電極はアドレス電極（Ｘ１乃至Ｘｎ）に含まれる。スキャン電極（Ｙ１乃至Ｙｍ）及びサステイン電極（Ｚ１乃至Ｚｍ）と第１電極または第２電極が交差する領域が放電セルにあたる。プラズマディスプレイパネル１６０は、基準時間の間に画像を第１領域に表示して、基準時間後に画像を第１領域と異なる第２領域に表示する。画像はシンボルであってもよい。すなわち、プラズマディスプレイパネル１６０は、第１電極及び第２電極を含み、基準時間の間にシンボルを第１領域に表示して、前記基準時間以後に前記シンボルを第１領域と異なる第２領域に表示する。シンボルはロゴ、数字、文字または記号の内で少なくとも一つを含む。
【００３６】
プラズマディスプレイパネル１６０が画像を連続して第１領域に表示すれば、第１領域にあたる放電セルの蛍光体の劣化や放電セル内部に残っているプライミング粒子によって画像の残像が発生する。したがって、本発明の実施形態によるプラズマディスプレイパネル１６０は、基準時間の間に第１領域に画像を表示して、基準時間以後には第１領域と異なる第２領域に画像を表示することで残像の発生を防止することができる。
【００３７】
図面を参照して本発明の実施形態によるプラズマディスプレイ装置の動作を詳しく説明する。
【００３８】
信号分離部１１０は、外部から放送信号の入力を受け付けて、映像情報信号、水平同期信号、垂直同期信号、クロック信号、音声情報信号及びシンボル情報信号を分離する。シンボル情報信号は、放送されるプログラムに対する文字に対する情報を含んでもよい。また、シンボル情報信号はテレテキスト（ｔｅｌｅｔｅｘｔ）などのように文字多重放送で使用される情報を含んでもよい。音声情報信号は音声信号処理部１８０を通じてスピーカーに出力される。
【００３９】
信号検出部１２０は、シンボル情報信号から第１シンボル位置信号と第１シンボル属性信号を抽出してメモリー部１７０に出力する。メモリー部１７０は、第１シンボル位置信号と第１シンボル属性信号の情報を保存する。第１シンボル位置信号の情報は、シンボルのような画像が表示されるプラズマディスプレイパネル１６０の第１領域の位置に対する情報を含む。第１シンボル属性信号の情報は、シンボルの色情報、ビットマップ（ｂｉｔ ｍａｐ）または背景色の内の少なくとも一つを含む。
【００４０】
位置判別部１３０は、基準時間の間に第１シンボル位置信号を出力して、基準時間以後に第２シンボル位置信号を出力する。すなわち、位置判別部１３０は、第１シンボル位置信号及び第１シンボル属性信号から抽出されたシンボルの位置と属性をメモリー部１７０にあらかじめ保存されたシンボルの位置及びシンボルの属性と比べる。位置判別部１３０は、基準時間の間に同一位置に同一シンボルが表示されると判別した場合、第１シンボル位置信号と第１シンボル属性信号を映像信号処理部１４０に出力する。また位置判別部１３０は、基準時間以後に同一シンボルが同一位置に連続して表示されると判別した場合、第２シンボル位置信号と第２シンボル属性信号を映像信号処理部１４０に出力する。
【００４１】
基準時間の間に同一位置、即ち第１領域に同一シンボルが表示されてもプラズマディスプレイ装置は残像を発生させないので、位置判別部１３０は第１シンボル位置信号と第１シンボル属性信号を映像信号処理部１４０に出力する。しかし、基準時間以後に第１領域に同一シンボルが表示されれば、プラズマディスプレイ装置が残像を発生する可能性が大きくなるので、位置判別部１３０は、第１領域と異なる第２領域にあたる第２シンボル位置信号と第２シンボル属性信号を映像信号処理部１４０に出力する。なお、基準時間が０秒より大きく３００秒以下の時、残像の発生が防止される。
【００４２】
第１領域の一部は第２領域の一部と重畳されてもよい。また第１領域は第２領域と分離されてもよい。第１シンボル属性信号と第２シンボル属性信号は互いに異なってもよい。第１シンボル属性信号と第２シンボル属性信号が異なる場合、残像の発生が抑制される。
【００４３】
映像信号処理部１４０は、信号分離部１１０から出力された映像情報信号、第１シンボル位置信号または第２シンボル位置信号、及び第１シンボル属性信号または第２シンボル位置信号に対する逆ガンマ補正プロセス、ハーフトーニング（ｈａｌｆ  ｔｏｎｉｎｇ）プロセス、サブフィールドマッピングプロセス及びデータ整列プロセスを遂行した後に第１映像信号または第２映像信号を電極駆動部１５０に出力する。
【００４４】
また、映像信号処理部１４０は、信号分離部１１０から出力された水平同期信号、垂直同期信号及びクロック信号の入力を受け付けて、電極駆動部１５０がスキャン電極（Ｙ１乃至Ｙｍ）、第１電極、第２電極、及びサステイン電極（Ｚ１乃至Ｚｍ）にスキャンパルス、第１映像信号にあたる第１データパルス、第２映像信号にあたる第２データパルス及びサステインパルスを供給するためのタイミング信号を電極駆動部１５０に出力する。
【００４５】
電極駆動部１５０は、映像信号処理部１４０のタイミング信号と第１映像信号または第２映像信号によって、第１データパルスまたは第２データパルスを第１電極または第２電極に供給する。これによって、図２に示されたように、第１データパルスまたは第２データパルス及びスキャンパルスの供給によって、第１領域または第２領域にシンボルのような画像が表示される。第１領域は、第２領域に比べて所定ピクセル程度シフトされてもよい。
【図面の簡単な説明】
【００４６】
【図１】本発明の実施形態によるプラズマディスプレイ装置を示す図。
【図２】本発明の実施形態によるプラズマディスプレイ装置が表示する画像を示す図。
【図１】
2007279735.tif 000003
【図２】
2007279735.tif 000004